(57)【要約】【課題】  従来のフィルムを作業台に重ねた状態で配置してある場合にあっては、束ねられている１枚のみを取ることが非常に難しく、徐々に束ねられたフィルムがバラバラになって食品を包装する卓上が狭くなって作業がし難くなるといった問題があった。【解決手段】  多数枚を積層し熱溶着等によって一体化し、かつ、ピン４を挿入するための孔３１ａを有する基部３１と、該基部にミシン目３２を介して食品等を包装するフィルム３と、一端側１１が高く他端側１２が低く形成されると共に長手方向に向かって円弧状部１３が形成され、かつ、前記円弧状部の上方側にピンを立設した基台１とから構成し、前記フィルムの基部に形成された孔を前記基台のピンに挿入することでフィルムの先端部における表面側のフィルムの先端が下面側のフィルムの先端より前方に突出させたフィルム支持台である。【選択図】        図１
0003141692.tif 000002
【実用新案登録請求の範囲】
【請求項１】
多数枚を積層し熱溶着等によって一体化し、かつ、ピンを挿入するための孔を有する基部と、該基部にミシン目を介して食品等を包装するフィルムと、
一端側が高く他端側が低く形成されると共に長手方向に向かって円弧状部が形成され、かつ、前記円弧状部の上方側にピンを立設した基台とから構成し、
前記フィルムの基部に形成された孔を前記基台のピンに挿入することでフィルムの先端部における表面側のフィルムの先端が下面側のフィルムの先端より前方に突出させたことを特徴とするフィルム支持台。
【請求項２】
前記基台の円弧状部の前記ピン位置よりも高い位置にフィルムの基部を押える押え部材を取付け、該押え部材によってフィルムの基部がピンより抜け出るのを防止したことを特徴とする請求項１記載のフィルム支持台。
【請求項３】
前記フィルムの厚みが厚く腰が強いフィルムを前記基台にセットした状態において押え部材による押え位置を前記基台の湾曲部の先端部分とすることで、フィルムが基台の湾曲部に沿ってセットされるようにしたことを特徴とする請求項１記載のフィルム支持台。
【請求項４】
多数枚を積層し熱溶着等によって一体化し、かつ、ピンを挿入するための孔を有する基部と、該基部にミシン目を介して食品等を包装する本体フィルムとからなるフィルムと、該本体フィルムの前記ミシン目の近接した一面に塗布した接着剤と、該接着剤に折り返し部が接着されると共に他端側にピンに係止するための孔が開口された補助フィルムと、
一端側が高く他端側が低く形成されると共に長手方向に向かって円弧状部が形成され、かつ、前記円弧状部の上方側にピンを立設した基台とから構成し、
前記フィルムの基部に形成された孔を前記基台のピンに挿入して固定し、かつ、前記補助フィルムに形成された孔をピンに挿入することでフィルムの先端部にける表面側のフィルムの先端が下面側のフィルムの先端より前方に突出させ、前記突出したフィルム本体を引くことで前記補助フィルムの折り返し部が前記フィルム本体の接着剤から剥離して接着剤が塗布されたフィルム本体を分離できるようにしたことを特徴とするフィルム支持台。
【請求項５】
前記基台の円弧状部の前記ピン位置よりも高い位置にフィルムの基部を押える押え部材を取付け、該押え部材によってフィルムの基部がピンより抜け出るのを防止したことを特徴とする請求項４記載のフィルム支持台。
【考案の詳細な説明】
【技術分野】
【０００１】
本考案は、多数枚束ねた状態のポリプロピレン等の合成樹脂の薄いフィルムを１枚毎に切取り線から分離して取り出すことが簡単に行えるフィルム支持台に関する。
【背景技術】
【０００２】
従来にあっては、店頭において食品（例えば、海苔巻や寿司を包装する）を陳列する際に衛生面を考慮して近年は薄いフィルムで包装して販売しているが、該食品を包装するフィルムは卓上に多数枚を重ねた状態で配置され食品を包装する際に重ねられているフィルムを１枚１枚を取り出し、取り出したフィルムによって食品を包装していた。
【０００３】
また、他の例としては、食品を包装するための部分とマチ部分との境目にミシン目を形成し、マチ部分に所望の個所に設けられた吊り下げ用のピンに挿通するための小孔を形成し、この小孔を前記吊り下げピンに差し込んで吊り下げ、食品を包装する部分をミシン目から分離して食品を包装していた。
【考案の開示】
【考案が解決しようとする課題】
【０００４】
ところで、前記したフィルムを作業台上に重ねた状態で配置してある場合にあっては、束ねられている１枚のみを取ることが非常に難しく、徐々に束ねられたフィルムがバラバラになって食品を包装する卓上が狭くなって作業がし難くなるといった問題がある。
【０００５】
一方、フィルムを吊り下げ食品を包装する際に１枚１枚引っ張って外す場合にあっては、前記した作業台上に束ねて配置されている場合よりも取り出し易く、かつ、フィルムがバラバラになることが少ないが、しかし、この場合にあっても１枚のみを取ることは難しく、一度に何枚かのフィルムを取ってしまい、また、包装作業においてフィルムの吊り下げ場所と包装する場所との間で腕を動かす範囲が大きいため作業者の腕が疲れるといった問題があった。
【０００６】
本考案は前記した問題点を解決せんとするもので、その目的とするところは、多数枚を積層したフィルムを湾曲した支持台に載置してフィルムの先端端面の上面側に位置するフィルムが下面側に位置するフィルムより出っ張るようにしたので、上面側のフィルムを簡単に摘むことで１枚１枚を次々に分離することができるフィルム支持台を提供せんとするにある。
【課題を解決するための手段】
【０００７】
本考案のフィルム支持台は前記した目的を達成せんとするもので、請求項１の手段は、多数枚を積層し熱溶着等によって一体化し、かつ、ピンを挿入するための孔を有する基部と、該基部にミシン面を介して食品等を包装するフィルムと、一端側が高く他端側が低く形成されると共に長手方向に向かって円弧状部が形成され、かつ、前記円弧状部の上方側にピンを立設した基台とから構成し、前記フィルムの基部に形成された孔を前記基台のピンに挿入することでフィルムの先端部における表面側のフィルムの先端が下面側のフィルムの先端より前方に突出させたことを特徴とする。
【０００８】
請求項２の手段は、前記した請求項１において、前記基台の円弧状部の前記ピン位置よりも高い位置にフィルムの基部を押える押え部材を取付け、該押え部材によってフィルムの基部がピンより抜け出るのを防止したことを特徴とする。
【０００９】
請求項３の手段は、前記した請求項２において、前記フィルムの厚みが厚く腰が強いフィルムを前記基台にセットした状態において押え部材による押え位置を前記基台の湾曲部の先端部分とすることで、フィルムが基台の湾曲部に沿ってセットされるようにしたことを特徴とする。
【００１０】
請求項４の手段は、多数枚を積層し熱溶着等によって一体化し、かつ、ピンを挿入するための孔を有する基部と、該基部にミシン面を介して食品等を包装する本体フィルムとからなるフィルムと、該本体フィルムの前記ミシン目の近接した一面に塗布した接着剤と、該接着剤に折り返し部が接着されると共に他端側にピンに係止するための孔が開口された補助フィルムと、一端側が高く他端側が低く形成されると共に長手方向に向かって円弧状部が形成され、かつ、前記円弧状部の上方側にピンを立設した基台とから構成し、前記フィルムの基部に形成された孔を前記基台のピンに挿入して固定し、かつ、前記補助フィルムに形成された孔をピンに挿入することでフィルムの先端部にける表面側のフィルムの先端が下面側のフィルムの先端より前方に突出させ、前記突出したフィルム本体を引くことで前記補助フィルムの折り返し部が前記フィルム本体の接着剤から剥離して接着剤が塗布されたフィルム本体を分離できるようにしたことを特徴とする。
【００１１】
請求項５の手段は、前記した請求項４において、前記基台の円弧状部の前記ピン位置よりも高い位置にフィルムの基部を押える押え部材を取付け、該押え部材によってフィルムの基部がピンより抜け出るのを防止したことを特徴とする。
【考案の効果】
【００１２】
本考案は前記したように、湾曲部を有する基台に多数枚のフィルムを積層した状態で基部に形成した孔を基台のピンに差し込んで固定することで、積層されているフィルムの表面側が下面側のフィルムよりも先端部分が前方に突出して配置されるので、１枚のフィルムのみを取ることが非常に簡単に行え、従って、食品をフィルムで包む作業が行い易くなると共に従来のように作業台上にフィルムが散らかったりするたとがないものである。
【００１３】
また、前記ピンの位置よりも高い位置でフィルムの基部を押え部材で押さえるようにしたので、フィルムの基部がみだりにピンより外れることがなくなり安定したフィルムの切取りを行うことができる。
【００１４】
さらに、厚みの厚く腰の強いフィルムの場合には基台の湾曲部に押え部材で押し付けることでフィルムは湾曲面に沿った状態で載置されるので、前記したと同じように積層されているフィルムの表面側が下面側のフィルムよりも先端部分が前方に突出して配置され、作業性の向上を図ることができる。
【００１５】
また、フィルムに塗布した接着剤に補助フィルムの折り返し部を接着したことで、フィルムの基部に形成した孔を基台のピンに差し込んでフィルムを基台に取付けた状態においてフィルムを引っ張ることで補助フィルムを簡単に分離することができるので、接着剤を塗布したフィルムを１枚１枚を簡単に得ることが可能となって、食品を包み込んだ状態で接着剤によってフィルムの端部どうしが固定され剥がれることのない衛生的な食品を作ることができる。
【００１６】
さらに、前記ピンの位置よりも高い位置でフィルムの基部を押え部材で押えるようにしたので、フィルムの基部がみだりにピンより外れることがなくなり安定したフィルムの切取りを行うことができる等の効果を有するものである。
【考案を実施するための最良の形態】
【００１７】
本考案は、湾曲部を有する基台に多数枚のフィルムを積層した状態で一端側を固定して積層されているフィルムの表面側が下面側のフィルムよりも先端部分が前方に突出するようにした。
【実施例１】
【００１８】
以下、本考案に係るフィルム支持台の一実施例を図１と共に説明する。
１は木材、合成樹脂、金属等の適宜材料によって構成され机等の作業台に固定可能な基台にして、一端１１側が高く他端１２側が低く形成されると共に一端１１から長さ方向の中間部分に向かって円弧状部１３が形成されている。
【００１９】
２は前記基台１の一端１１に取付けられた、例えば、バインダーに取付けられバネ力によって紙片等を押えるための押え部材にして、例えば、多数枚のフィルム３を積層した基部３１を基台１に押さえつける役目をするものである。４は前記押え部材２により押えられる部分より先端側の基台１に取付けられたピンにして、前記フィルム３の基部３１より先端側に穿孔された孔３１ａを挿入することでフィルム３の先端側３２を引っ張っても積層されているフィルム３の全体が移動するのを防止している。
【００２０】
フィルム３は非常に薄いものであって基部３１は熱溶着等の手段によって一体化され、また、前記ピン４より先端側３２には切り取るためのミシン目３２が形成されている。
【００２１】
次に、使用方法について説明するに、一端を熱溶着等によって多数枚の薄いフィルム３を固定した基部３１を押え部材２によって基台１の一端１１に挟み込むと共にピン４にフィルム３に形成した孔３１ａを差し込んでフィルム３を基台１に固定する。この固定状態においてフィルム３は薄いためフィルム３は基台１の湾曲部１３の湾曲面に沿って載置される。
【００２２】
そして、湾曲部１３に沿って載置された積層フィルム３の先端部は表面側のフィルムの先端が下面側のフィルムより前方に突出した状態となるので、該フィルム３を利用して食品を包む作業者が表面側のフィルムを指先で持ち上げながら引っ張ることでミシン目３２から切断されて１枚のフィルムのみを分離することができる。従って、１枚のフィルムのみを分離することが簡単に行えて作業性の向上が図れると共にフィルムが作業台上に散らかることがなくなる。
【００２３】
なお、フィルム３の厚みが厚く腰が強いフィルムの場合には、基台１の湾曲部１３の曲面に沿って載置することが難しくなるので、このような場合には、図２に示すように押え部材２の腕の長さを長くして湾曲部１３の湾曲中心位置部分におけるフィルム３を押えることで、フィルム３の先端部分は前記した図１と同様に表面側のフィルムが下面側のフィルムより突出するので、１枚のフィルムのみを分離することができる。
【００２４】
また、腰の強いフィルム３を湾曲部１３に沿わせる手段としては図２の実施例に限定されるものではなく、コの字上形成された押え部材の両端をフィルム３を跨ぐようにして基台１に対して上下動自在に取付け、該押え部材の重量によってフィルム３を湾曲部１３に押し付けるようにしてもよい。
【００２５】
前記した実施例におけるフィルム３は、ミシン目３２が形成された１枚のフィルムを多数枚積層したものを示したが、食品の１つである海苔巻用のフィルムとして利用するには前記切断したフィルムで海苔巻を巻いた後に剥がれないように接着剤をフィルムの一端に塗布したり、あるいはセロハンテープを張り付けるなどの手間が必要である。
【実施例２】
【００２６】
そこで、図３に示すフィルム５を開発した。図３において、５は前記した実施例におけるフィルム３と同材質のフィルムにして、ミシン目５１によって基部５２と食品を包装するフィルム本体５３とより構成されている。前記フィルム本体５３の一面で、かつ、前記ミシン目５１に近い部分には接着剤６が帯び状に塗布されている。                                                            
【００２７】
７は前記フィルム５よりも薄い補助フィルムにして、前記フィルム本体５３の裏面に塗布されている接着剤６に折り返し面７１が接着されている。なお、前記フィルム５の基部５２には図４に示すピン４，８に挿入するための２つの孔５２ａ，５２ｂが形成され、また、補助フィルム７にはピン８に挿入するための孔７ａが形成されている。
【００２８】
次に、前記した補助フィルム７が接着されたフィルム５を基台１に取付けて接着剤６が塗布された本体フィルム５３を分離する方法について説明する。
図４に示すように、多数枚が積層されたフィルム５の基端５２ａを熱溶着等によって一体化する。このフィルム５の上面側に補助フィルム７が貼着されているので、該フィルム５を孔５２ａ，５２ｂをピン４，８に差し込みながら補助フィルム７の孔７ａをピン８に差し込み、次いで、フィルム５の基部５２を押え部材２によって固定する。
【００２９】
この状態においてフィルム５の先端部は前記した実施例と同様に先端部は表面側のフィルムの先端が下面側のフィルムより前方に突出した状態となるので、作業者が表面側のフィルムを指先で持ち上げながら引っ張ることでフィルム本体５３はミシン目３２から基部５２より切断される（図３ａ）。
【００３０】
さらに、フィルム本体５３を引っ張ると補助フィルム７の折り返し面７１が徐々に引っ張られ（図３ｂ，ｂ）、フィルム本体５３側に塗布されている接着剤６に接着されている折り返し面７１が徐々に剥がれ、最終的にはフィルム本体５３に接着されている接着剤６より補助フィルム７の折り返し面７１は剥がれる（図３ｄ）
【００３１】
そして、フィルム本体５３は接着剤６が表面に接着された状態で作業台上に載置し、海苔巻を接着剤６が塗布されていない側に載せて海苔巻を回転するように移動することで、海苔巻の周面にフィルム本体５３が巻き付けられる。そして、海苔巻が包まれた終了時にフィルム本体５３の他の端部における裏面側と接着剤６が接着して作業は終了する。従って、海苔巻をフィルム５によって包む作業を簡単に行うことができるものである。
【図面の簡単な説明】
【００３２】
【図１】本考案に係るフィルム支持台の第１の実施例を示す側面図である。
【図２】同上のフィルムの腰が強い場合の実施例を示す側面図である。
【図３】接着剤を塗布したフィルムの場合の第２の実施例を示し、（ａ）フィルムの剥離作業を行っていない状態の側面図、（ｂ），（ｃ）はミシン目からフィルム本体を切断し引っ張っている状態の側面図、（ｄ）はフィルム本体の接着剤から補助フィルムの折り返し面が剥離された状態の側面図である。
【図４】第２の実施例のフィルムを基台にセットした状態の側面図である。
【符号の説明】
【００３３】
１          基台
１１        一端部
１２        他端部
１３        湾曲部
２          押え部材
３，５      フィルム
３１，５２  基部
３２，５１  ミシン目
５３        フィルム本体
４，８      ピン
【図１】
0003141692.tif 000003
【図２】
0003141692.tif 000004
【図３】
0003141692.tif 000005
【図４】
0003141692.tif 000006